(57)【要約】  対向する内及び外表面を有する実質的に透明なカバーであって、その中に配置された開口部を有する前記カバーと、多次元画像を有する画像収容物であって、対向する第１及び第２面を有し、カバーの内表面に隣接して配置される画像収容物と、詰替え製品の綴りを保持することに適合した空洞を有するハウジングと、から構成されるディスペンサー。
2008540283.tif 000002
【特許請求の範囲】
【請求項１】
対向する内及び外表面を有し、その中に配置された開口部を有する実質的に透明なカバーと、
多次元画像を有し、対向する第１及び第２面を有する、前記カバーの前記内表面に隣接して配置される画像収納物と、
詰替え製品の綴りを保持することに適合した空洞部を有するハウジングと、から構成されるディスペンサー。
【請求項２】
前記カバーの前記外表面の上に配置された表示物を更に含む、請求項１に記載のディスペンサー。
【請求項３】
前記ハウジングは、前記カバーの前記内表面に対して前記詰替え製品の綴りを偏らせるための手段を更に含む、請求項１に記載のディスペンサー。
【請求項４】
前記詰替え製品の綴りを偏らせるための前記手段がスプリングである、請求項３に記載のディスペンサー。
【請求項５】
前記空洞は前記詰替え製品の綴りが配置可能な載せ台を含み、該載せ台が、前記スプリングを収容するための開口部をその内部に有する、請求項４に記載のディスペンサー。
【請求項６】
前記詰替え製品の綴りは、再配置可能なメモ用紙の綴り、再配置可能な付箋紙の綴り、予め切断したテープの綴り、及びこれらの組み合わせから成る群から選択される、請求項１に記載のディスペンサー。
【請求項７】
多次元画像を有する前記画像収納物は、レンズ状のフィルム、微小レンズの薄板、及びホログラムから成る群から選択される、請求項１に記載のディスペンサー。
【請求項８】
第１の構造化された表面としての前記レンズ状フィルム、及び対向する第２の実質的に平坦な表面は画像を有する、請求項７に記載のディスペンサー。
【請求項９】
多次元画像を有する前記画像収納物は、
第１の構造化された表面及び対向する第２の実質的に平坦な表面を有するレンズ状のフィルムと、
画像を含む第１の主要表面を有するベースシートと、を含む合成物であって、
前記ベースシートの前記第１の主要表面は、前記レンズ状フィルムの前記第２の表面に隣接している、請求項１に記載のディスペンサー。
【請求項１０】
前記レンズ状のフィルムの前記第２の表面と前記ベースシートの前記第１の主要表面との間に配置された透明な接着剤を更に含む、請求項９に記載のディスペンサー。
【請求項１１】
前記レンズ状のフィルムが透明である、請求項７又は９に記載のディスペンサー。
【請求項１２】
前記画像が、インクジェット印刷によって印刷される、請求項８又は９に記載のディスペンサー。
【請求項１３】
前記カバーが、前記ハウジングから取り外し可能である、請求項１に記載のディスペンサー。
【請求項１４】
カバー、及び多次元画像を有する前記画像収納物は、それぞれ前記詰替え製品の綴りにおける分配に適合した第１開口部を含む、請求項１に記載のディスペンサー。
【請求項１５】
前記多次元画像を有する前記画像収納物は、前記カバーの前記内表面の実質的に全体を覆う、請求項１に記載のディスペンサー。
【請求項１６】
前記ハウジングは、前記カバー内の第２開口部と嵌合するための支柱を含む、請求項１に記載のディスペンサー。
【請求項１７】
多次元画像を有する前記物品は、前記カバーの前記内表面に接着剤で取り付けられる、請求項１に記載の画像収容物。
【請求項１８】
詰替え製品の綴りを保持することに適合した空洞及びスプリングを含むハウジングと、
対向する内及び外表面と、前記詰替え製品の綴りにおける個々の製品を分配することに適合した第１開口部を含む実質的に透明なカバーと、
多次元画像を有する画像収容物であって、
第１の実質的に透明な構造化された表面及び対向する第２の実質的に平坦な表面を有するレンズ状のフィルムと、
画像を有する第１面及び対向する第２面から構成されるベースシートと、
前記レンズ状のフィルムの前記第２の表面と前記ベースシートの前期第１面との間に配置された透明な接着剤と、
前記カバーの前記第１開口部と一直線に位置合せをする第１開口部とを含む画像収容物と、から構成されるディスペンサー。
【請求項１９】
前記詰替え製品の綴りは、再配置可能なメモ用紙、再配置可能な付箋紙、予め切断したテープから成る群から選択される、請求項１８に記載のディスペンサー。
【請求項２０】
空洞を有するハウジング、第１開口を有する実質的に透明なカバー、及びスプリングから構成されるディスペンサーと、
多次元画像を有する画像収容物であって、第１の構造化された表面及び第２の実質的に平坦な表面を有する実質的に透明なレンズ状のフィルムと、前記レンズ状のフィルムの前記第２の平坦な表面に隣接して配置された画像とから構成される画像収容物と、
再配置可能なメモ用紙、再配置可能な付箋紙、及び予め切断したテープから成る群から選択される、詰替え製品の綴り、
を含むキット。
【発明の詳細な説明】
【技術分野】
【０００１】
本発明は、再配置可能なメモ用紙若しくは付箋紙、又はポップアップ式テープの綴りのような、詰替え製品の綴りのためのディスペンサーに関するものであり、ディスペンサーは、多次元画像を組み込んでいる。
【背景技術】
【０００２】
再配置可能なメモ用紙、付箋紙、及びテープなど、各種の詰替え製品を分配するために、市場には多種多様なディスペンサーが市販されている。多くのディスペンサーは、独自のデザイン、興味深く華やかな画像、又はその両方を含み、消費者を引きつける。ディスペンサーは、特定の会社のロゴ、宣伝メッセージ、又は図象的な画像を組み込んでもよい。ディスペンサーの設計者は、美的及び機能的価値をディスペンサーに加えるため、継続的に様々な取り組み方を調査及びテストする。
【発明の開示】
【発明が解決しようとする課題】
【０００３】
一つの態様では、本発明は、多次元画像を有するディスペンサーに関する。
【課題を解決するための手段】
【０００４】
ディスペンサーは、（１）対向する内及び外表面を有する透明なカバーであって、その中に配置された開口部を有するカバーと、（２）多次元画像を有する画像収容物であって、対向する第１及び第２面を有し、カバーの内表面に隣接して配置される画像収容物と、（３）詰替え製品の綴りを保持することに適合した空洞を有するハウジングとを含む。
【０００５】
別の態様では、本発明は、（１）詰替え製品の綴りを保持することに適合した空洞及びスプリングを含むハウジングと、（２）対向する内及び外表面と、詰替え製品の綴りにおける個々の製品を分配することに適合した第１開口部を含む実質的に透明なカバーと、（３）多次元画像を有する画像収容物であって、（ｉ）第１の実質的に透明な構造化された表面及び対向する第２の実質的に平坦な表面を有するレンズ状のフィルムと、（ｉｉ）画像を有する第１面及び対向する第２面とから構成されるベースシートと、（ｉｉｉ）レンズ状のフィルムの第２の表面とベースシートの第１面との間に配置された透明な接着剤と、（ｉｖ）カバーの第１開口と一直線に位置合せをする第１開口部から構成される画像収容物と、を含むディスペンサーに関する。
【０００６】
更に別の態様では、本発明は、（１）空洞を有するハウジングを含むディスペンサー、（２）第１開口部を有する実質的に透明なカバー、及びスプリング、（３）多次元画像を有する画像収容物であって、第１の構造化された表面及び第２の実質的に平坦な表面を有する実質的に透明なレンズ状のフィルムと、そのレンズ状のフィルムの第２の平坦な表面に隣接して配置された画像と、から構成される画像収容物、（４）再配置可能なメモ用紙、再配置可能な付箋紙、及び予め切断されたテープから成る群から選択される詰替え製品の綴りと、を含む組立用部品一式に関する。
【０００７】
本明細書で使用するとき、用語「透明な」は一般に、水平に配置されている画像が認識できるように、散乱が妨げにならない状態での光の透過特性を有することを意味する。用語「多次元」は、少なくとも二次元を意味する。
【発明を実施するための最良の形態】
【０００８】
図１は、本発明の一つの代表的な実施形態の等角図を示している。ディスペンサー１０は、ハウジング１４、実質的に透明なカバー１２、及び多次元画像を有する画像収容物１３を包含する。カバーは、詰替え製品の綴りにおいて再配置可能なメモ用紙１６などの詰替え製品の綴りの個々の製品を分配することに適合した第１開口部を包含する。代表的な詰替え製品の綴りは、ポスト・イット（登録商標）ポップアップ式付箋紙などの再配置可能なメモ用紙、ポスト・イット（登録商標）付箋紙などの再配置可能な付箋紙、及びポップアップ式テープなどの予め切断されたテープが挙げられ、全て３Ｍ社（3M Company)（ミネソタ州セントポール（St. Paul））から市販されているが、これらに限定されない。
【０００９】
図２は、図１のディスペンサーの断面図である。ハウジング１４は多角形であり、形状が詰替え製品の綴り１７と類似している。ハウジングは、基部と、基部から延びる４枚の直立式の壁を有する。ハウジングは、詰替え製品の綴りを収容することに適合した空洞１９を包含する。ハウジングは、カバーに対して詰替え製品の綴りを偏よらせるための手段として役立つスプリング１８を更に包含し、その結果、綴りの全ての製品が消費されるまで、詰替え製品の綴りを継続的に分配することを可能にする。この特定のディスペンサーは、Ｚ形の積み重ね形態で組み立てられる詰替え製品の綴りに適している。すなわち、Ｚ形の積み重ね形態では、綴りの中の最初の製品の再配置可能な接着剤が、綴りの中の次に続く製品の再配置可能な接着剤の対向する端部に配置されている。図２は、ディスペンサーの右手側から及びまで露出する再配置可能なメモ用紙１６を示している。Ｚ形に積み重ねた構造では、ユーザーが露出したメモ用紙を引っ張ると、次の使用可能なメモ用紙がディスペンサーの左手側に配置される。ハウジングは、支柱２０を更に包含する。図１に最良に示されているように、この実施形態では４本の支柱が使用され、各支柱は、ほぼハウジングの隅部に位置する。
【００１０】
カバー１２は、対向する内及び外表面１２ａ及び１２ｂ、各々を有する。カバーは、詰替え製品の綴りを分配することに適合した第１開口部２１と、ハウジングの支柱２０と嵌合するための第２開口部を包含する。第２開口部はハウジングの支柱と一直線に位置合せをする。詰替え製品の新規綴りをディスペンサーの中に装填しなければならない時、この特定の設計により、カバーのハウジングへの取り付け及びハウジングからの取り外しを可能にする。支柱は、カバーの第２開口部との干渉嵌合を提供する。所望される場合、カバーの外表面は、広告するために販売促進市場において使用されるものなど、表示物を包含してもよい。
【００１１】
本発明で使用されることができるディスペンサーには、米国特許第４，７９６，７８１号；第４，９２１，１２７号；第４，９８６，４４０号；第４，９９３，５９０号；第５，０８０，２５５号；第５，１６７，３４６号；第５，６７１，８６６号；及び第６，０６８，１３８号に開示されるものが挙げられるが、これらに限定されない。列挙されたこれらのディスペンサーの特許は、カバーが透明であることを開示していないものの、透明なカバーに取り換えることによって本発明を実施することができる。
【００１２】
図３は、多次元画像を有する一つの代表的な画像収容物３０を示している。画像収容物は、多層構造であり、そして実質的に透明なレンズ状フィルム３２を包含する。レンズ状フィルムは、第１の構造化された表面３２ａと、対向する第２の実質的に平坦な表面３２ｂを有する。ベースシート３６は、画像（図示せず）を包含する第１の表面３６ａと、対向する第２の表面３６ｂを包含する。接着剤３４は、レンズ状フィルムをベースシートに取り付ける。画像収容物の視覚的な外観を妨げない限り、本発明ではいかなる接着剤も使用されることができる。一つの実施形態では、接着剤は実質的に透明である。この特定の構造では、ベースシートの表面３６ａ上に配置された画像は埋められて、その結果、保護される。
【００１３】
図３における画像収容物は、多層構造を示しているものの、画像が、レンズ状フィルムの第２の実質的に平坦な面３２ｂの上に直接配置されることは、本発明の範囲内である。所望される場合、白インクにより、レンズ状フィルムの第２面の実質的に全体を覆う画像の上に直接印刷することができる。単一又は多層構造が使用されても、画像は、インクジェット印刷が挙げられるがこれに限定されない様々な印刷技術と、さらにシルクスクリーン、オフセット印刷、及びフレキソ印刷などの印刷技術があるがこれらに限定されない他の印刷技術のいずれかを使用して形成されることができる。
【００１４】
図４は、多次元画像がある代表的な画像収容物の平面図を示している。この特定の場合では、理解を容易にするために、画像収容物のレンズ状部が取り除かれている。画像収容物４０は、画像４１、詰替え製品の綴りを分配することに適合した第１開口部４３、及び第２開口部４５を包含する。第１開口部４３は、カバーの第１開口部２１と一直線に位置合せをする、そして第２開口部４５は、カバーの第２開口部と一直線に位置合せをする。画像収容物の開口部は、通常は型抜きによって形成される。一旦組み立てられると、図２に最良に示されているように、画像収容物４０は、カバーの内表面１２ａのほぼ全体を覆う。
【００１５】
使用する際、一つの実施形態では、消費者には、多次元画像を有する少なくとも一つの画像収容物が用意されている。複数のこれらの画像収容物を用意することができ、それらは、特定の休暇シーズン（例えば、イースター、クリスマス）に合わせて調整することができる。従って、ディスペンサーは、多次元画像を有する画像収容物を取り替えることによって、異なる時間に異なる画像が表示されるのを可能にするように設計される。消費者は、カバーの開口部が物品の開口部と一致するように、多次元画像を有する画像収容物をカバーと一直線に位置合せをする、ハウジングの空洞に詰替え製品の綴りを装填し、次に、画像収容物と一緒にカバーをハウジング上に配置する。
【００１６】
代わりの実施形態では、カバーは、多次元画像を有する画像収容物の取り付けを可能にする機械的手段（留め金、フックアンドループ型の締結手段などが挙げられるがこれらに限定されない）を包含して、その結果、画像収容物をカバーと一直線に位置合せをするために消費者に依存する必要をなくしてもよい。更に他の実施形態では、接着剤が視覚的に画像を損なわない限り、多次元画像を有する画像収容物を、接着剤でカバーに取り付けることができる。接着剤は、再配置可能であって、多次元画像を有するフィルムを容易に取り外すこと、及び異なる画像を備えて異なるフィルムに取り替えることを可能にしてもよい。
【００１７】
レンズ状フィルムでは、複数の線状波形又は溝が、型で成形、エンボス加工、又は押し出し成形によって作製される。そのようなフィルムは、着色することができるが、典型的には無色である。一次元画像がベースシート上に印刷され、そして積層処理などにより、レンズ状フィルムに接着することができる。あるいは、写真が画像として使用されることができる。印刷されたベースシート又は写真とレンズ状フィルムの組み合わせによって、一次元画像が多次元画像に変わる。上質の多次元画像を製造するために、画像とレンズ状フィルムの位置合せに注意を払うべきである。所望される場合、印刷された画像又は写真は、既知の写真撮影技術を施すことができ、レンティキュラーフィルムに、より適するように画像を変更するために、市販のソフトウエアを使用することができる。上述のように、代わりの実施形態では、レンズ状フィルムは、多次元画像を有する画像収容物である。本発明で使用されてよい市販のレンズ状のフィルムには、レンチクリア（商標）レンティキュラーレンズ社（LentiClear Lenticular Lens, Inc.）（イリノイ州イタスカ（Itasca））から、製品名レンチクリア（商標）楕円形高性能レンティキュラーレンズ（LentiClear Elliptical High Performance Lenticular Lens）で供給されるものが挙げられる。
【００１８】
米国特許第６，２８８，８４２号は、本発明で使用するための別の有用な画像収容物を開示し、合成画像を有する様々なタイプのマイクロレンズの被覆材が記載されている。合成画像は、二次元又は三次元であってよい。画像は、被覆材より上及び又は下に浮動する。合成画像を包含するように加工される好適なマイクロレンズの被覆材には、露出したレンズの被覆材、埋め込まれたレンズの被覆材、カプセル化されたレンズの被覆材から構成され、そしてマイクロレンズ被覆材は、透明な平凸又は非球面のベースシートで構成される。露出したレンズのタイプのマイクロレンズの被覆材は、部分的に結合剤に埋め込まれた単層の透明な微小球を包含するが、それは、米国特許第２，３２６，６３４号に、より詳細に記載されている。埋め込まれたレンズのタイプの被覆材は、透明保護膜に埋め込まれた単層の透明な微小球を包含するが、それは、米国特許第３，８０１，１８３号に、より詳細に記載されている。カプセル化されたレンズのタイプの被覆材は、米国特許第５，０６４，２７２号に記載されている。透明な平凸又は非球面のベースシートは、第１及び第２の広い面を有し、第２面は、実質的に平面であり、そして第１面は、実質的に半球状又は半くさび形のマイクロレンズの配列を有するが、それは、米国特許第５，２５４，３９０号に、より良く記載されている。
【００１９】
ホログラムを有する画像収容物も、本発明で使用されてよい。ホログラムは、典型的に、周期的な方法で光を分散して回折する小さいプリズム又は小さい頂上部を使用することによって生成される。ホログラムを生成する市販のフィルムがある。
【００２０】
本発明の特定の実施形態が示され、記載されてきたが、これらの実施形態は、本発明の原理を適用する際に考案されることができる多くの可能な特定の改変の単なる説明であることが理解される。多数の様々な他の改変が、本発明の精神及び範囲から逸脱することなく、当業者によってこれらの原理に従って考案されることができる。このように、本発明の範囲を本願出願に記載の構造に限定すべきではなく、特許請求の範囲の文言によって記載の構造物及びそれらの同等のものによってのみ限定されるものである。
【００２１】
本発明は、次の図面を参照して更に記載されることができる。
【００２２】
これらの図面は理想化されており、一定の比率で描かれておらず、そして説明の目的のみを意図している。
【図面の簡単な説明】
【００２３】
【図１】図１は、本発明の一つの代表的な実施形態の斜視図である。
【図２】図２は、線２−２に沿って切った図１のディスペンサーの断面図である。
【図３】図３は、多次元画像を有する代表的な画像収容物の断面図である。
【図４】図４は、多次元画像を有する代表的な画像収容物の平面図である。
【図１】
2008540283.tif 000003
【図２】
2008540283.tif 000004
【図３】
2008540283.tif 000005
【図４】
2008540283.tif 000006
【国際調査報告】
2008540283.tif 000007
2008540283.tif 000008
2008540283.tif 000009